(57)【特許請求の範囲】
【請求項１】
作業者によって把持される把持部を備えた本体部分と、
該本体部分から突出して固設された長手状の支持部と、
該支持部の突出先端部分に固定的に設けられて、互いに略平行に離隔して対向位置せしめられた左右一対の固定刃と、
前記本体部分から前記支持部に沿って突出して配設されて軸方向に往復移動可能とされた駆動ロッドと、
該駆動ロッドの軸方向の突出先端部分に取り付けられて、刃先を有する先端部分が前記左右一対の固定刃よりも該駆動ロッドの軸方向で外方に突出して位置せしめられると共に、該刃先を有する先端部分が切断方向前方に向かって略Ｌ字状に屈曲せしめられて、該刃先が前記左右一対の固定刃の対向面間に対して該駆動ロッドの軸方向で外方から入り込み可能とされており、且つ、該刃先を有する先端部分が該左右一対の固定刃の対向面間に最も奥方まで入り込んだ場合にも該刃先における切断方向前方側端部の所定長さに亘る部分が該左右一対の固定刃の対向面間に入り込まずに、該刃先と該左右一対の固定刃の間に差し入れられた被加工板がそれら刃先と左右一対の固定刃の間に止まり、該被加工板がそれら刃先と左右一対の固定刃の間から外れてしまうことがないようにされた可動刃と、
前記駆動ロッドを前記本体部分に対して軸方向に往復駆動せしめることにより、前記可動刃の刃先と前記左右一対の固定刃の間に差し入れられた被加工板に対して該本体部分側から該左右一対の固定刃を重ねて該可動刃の刃先を該被加工板の反対側から該本体部分側に繰り返し引き上げるように駆動せしめて、該可動刃の刃先を該左右一対の固定刃の対向面間に外方から出入作動させることにより、該左右一対の固定刃と該可動刃の間で該被加工板を略帯状に連続した切断代をもって切断する駆動機構と、
前記支持部に対して固定的に設けられ、前記左右一対の固定刃よりも前記支持部の突出方向外方に配されて該左右一対の固定刃に対して離隔して対向位置せしめられることにより、前記被加工板の切断に際して該被加工板が該固定刃と該保持部材の対向面間を通過せしめられるようにして、該被加工板の裏面を保持する保持部材と
を、有することを特徴とする切断工具。
【請求項２】
前記可動刃を前記本体部分から軸方向に突出位置せしめた状態で、該可動刃の刃先と前記左右一対の固定刃の刃先とを、切断方向前方に行くに従って次第に相互に離れるように相対的に傾斜せしめた請求項１に記載の切断工具。
【請求項３】
前記左右一対の固定刃および前記可動刃におけるそれぞれの切断方向前方の端部を、切断方向で略同じ位置にした請求項１又は２に記載の切断工具。
【請求項４】
前記左右一対の固定刃の対向面間距離を設定変更する調整機構を設けた請求項１乃至３の何れかに記載の切断工具。
【請求項５】
前記支持部の突出先端部分の外周面の少なくとも一部が、該支持部の突出方向に向かって該支持部が次第に細くなる方向に傾斜した傾斜面とされている請求項１乃至４の何れかに記載の切断工具。
【請求項６】
前記左右一対の固定刃が、少なくとも前記支持部の突出先端側部分において相互に離隔して対向位置せしめられており、該左右一対の固定刃の対向面間が切断方向の前方と後方でそれぞれ開口している請求項１乃至５の何れかに記載の切断工具。
【請求項７】
前記支持部の突出先端部分が、切断方向に直交する方向で相互に離隔して対向位置せしめられる左右一対の支持プレートを含んで構成されていると共に、前記左右一対の固定刃が、それぞれ、該左右一対の支持プレートの各一方に重ね合わされて固着されることにより、互いに略平行に離隔して対向位置せしめられている請求項１乃至６の何れかに記載の切断工具。
【請求項８】
前記左右一対の固定刃の刃先を該左右一対の固定刃が対向する方向に突出せしめて、該左右一対の固定刃の対向面間距離をそれら固定刃における両刃先の対向面間距離よりも大きくして、かかる左右一対の固定刃における刃先よりも大きな対向面間を通じて、前記被加工板における帯状の切断屑が切断方向の前方に向かって順次に送り出されるようにした請求項１乃至７の何れかに記載の切断工具。
【請求項９】
前記保持部材が、前記可動刃を厚さ方向に挟んだ両側に位置せしめられており、該保持部材によって、該可動刃が厚さ方向の両側において保護されるようになっている請求項１乃至８の何れかに記載の切断工具。
【請求項１０】
前記固定刃と前記可動刃の軸方向の対向面間距離を調節する調節手段を設けた請求項１乃至９の何れかに記載の切断工具。
【請求項１１】
前記固定刃が前記支持部に対して着脱可能とされていると共に、かかる固定刃が、
（ｉ）前記被加工板における帯状の切断屑の案内面及び／又は前記可動刃の案内面を形成する固定刃の保持部材と、
（ii）前記刃先が形成されて、該固定刃の保持部材に対して位置決めセットされる固定刃の刃先部材と
によって分割形成されており、それら固定刃の保持部材と固定刃の刃先部材が、各別に該支持部に対して着脱可能となっている請求項１乃至１０の何れかに記載の切断工具。
【発明の詳細な説明】
【技術分野】
【０００１】
本発明は、トタンやブリキ等の鋼板を含む金属板等の被加工板に切断加工を施す手持ち式の切断工具に係り、特に、表面に湾曲部分や凹凸部分等を備えた被加工板に対しても容易に切断加工を施すことが出来ると共に、切断加工に際して発生する切断屑を効率的に回収せしめることが出来る新規な構造の切断工具に関するものである。
【背景技術】
【０００２】
従来から、屋根瓦等に採用されるトタン等の薄板鋼板を含む金属板等の被加工板に切断加工を施す切断工具としては、例えば金切り鋏やカッター、ニブリングマシン（所謂、ニブラ）等が知られている。
【０００３】
金切り鋏やカッターは、一般に、一対の切断刃を交叉状に組み合わせて、その交叉部に挿通した支軸回りで相対回動させることにより、それら一対の切断刃の間に挟み込んだ被加工板に剪断作用を及ぼして切断加工を施すようになっている（例えば、特許文献１及び２参照。）。
【０００４】
ところが、従来構造の金切り鋏やカッターにおいては、被加工板を切断する場合に、一対の切断刃を連結する支軸が被加工板の近くで切断方向に直交する方向に延びるように位置せしめられることから、例えば、湾曲部や屈曲部を備えた被加工板に切断加工を施す際に、支軸や本体が被加工板に当たってしまい、切断刃を湾曲部や屈曲部に応じて傾けることが難しく、それ故、所望の切断行路に沿って切断加工を施し難いという問題があった。
【０００５】
また、ニブリングマシンは、パンチと該パンチを挿通せしめる形状のダイを軸方向で対向位置せしめると共に、パンチを軸方向に往復運動させてダイに対して手前側から打ち込むように出入作動させて、パンチとダイが協働して被加工板を切断方向に沿って少しづつ囓るようにパンチング加工を施すことにより、ダイとパンチの対向間で被加工板を切断するようにした構造とされている（例えば、特許文献３及び４参照。）。
【０００６】
さらに、例えば特許文献５には、往復駆動装置の摺動子に切断刃を連結すると共に、該駆動装置の機枠に受刃を装着して、切断刃と受刃の対向間に位置せしめた被加工板に対して切断刃を喰い込ませるように駆動せしめることにより、受刃と切断刃が協働して被加工板に剪断切断作用を及ぼすようにした切断機が示されている。
【０００７】
しかしながら、上記特許文献３〜５にも開示されている従来構造のニブリングマシンや切断機においては、被加工板が切断方向に沿って少しづつ囓るように打ち抜かれることによって、被加工板に対する切断方向への連続的なパンチング加工に伴い発生する切断屑が多数の小片に分断されることから、その処理が面倒であるという問題があり、特に建築等の施行現場での切断作業には向いていなかったのである。
【０００８】
なお、このような問題に鑑み、例えば特許文献６には、平面コ字状の固定刃に対して可動刃が軸方向に出入作動されるニブリング運動式の切断工具にあって、可動刃を固定刃の内側に位置せしめた際に、可動刃と固定刃の間隙の大きさを剪断屑が分断されないように設定することにより、剪断屑を帯状にして回収するようにした切断工具が開示されている。
【０００９】
しかしながら、かかる特許文献６に示される切断工具においては、被加工板の材質や厚さ等に応じて切断屑が分断されないために必要な可動刃と固定刃の間隙の大きさが異なることから、切断屑が帯状に連続し難く、安定した作動が実現され難い。また、コ字状の固定刃と可動刃の間で被加工板が連続状態のまま剪断変形せしめられることから、それら固定刃と可動刃の間に被加工板が強く噛み込んでしまって動かなくなるおそれもある。しかも、そのように固定刃と可動刃の間に噛み込んだ被加工板を残したままで連続的なニブリング作動を行うためには大きな駆動力が必要とされることとなって、装置の大型化や重量の増加が問題となり易い。加えて、固定刃と可動刃の間に噛み込んだ被加工板を塑性変形させながら連続的なニブリング作動を行うと発熱等の問題が発生し易く、長時間に亘る連続的な作動に支障をきたすおそれもあったのである。
【００１０】
【特許文献１】特開２００２−１８６７９３号公報
【特許文献２】実開平２−８６５０号公報
【特許文献３】実開昭５９−２８４１５号公報
【特許文献４】特開平９−２３４６２２号公報
【特許文献５】実開昭４９−５５４８９号公報
【特許文献６】特開２００２−２８３１２８号公報
【発明の開示】
【発明が解決しようとする課題】
【００１１】
ここにおいて、本発明は、上述の如き事情を背景として為されたものであって、その解決課題とするところは、湾曲部や屈曲部を備えた金属板等の被加工板に対しても目的とする切断行路をもって切断加工が有利に実現され得ると共に、切断屑が効率的に回収され得る新規な構造の切断工具を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１３】
（本発明の態様１）
本発明の態様１の特徴とするところは、（ａ）作業者によって把持される把持部を備えた本体部分と、（ｂ）該本体部分から突出して固設された長手状の支持部と、（ｃ）該支持部の突出先端部分に固定的に設けられて、互いに略平行に離隔して対向位置せしめられた左右一対の固定刃と、（ｄ）前記本体部分から前記支持部に沿って突出して配設されて軸方向に往復移動可能とされた駆動ロッドと、（ｅ）該駆動ロッドの軸方向の突出先端部分に取り付けられて、刃先を有する先端部分が前記左右一対の固定刃よりも該駆動ロッドの軸方向で外方に突出して位置せしめられると共に、該刃先を有する先端部分が切断方向前方に向かって略Ｌ字状に屈曲せしめられて、該刃先が前記左右一対の固定刃の対向面間に対して該駆動ロッドの軸方向で外方から入り込み可能とされており、且つ、該刃先を有する先端部分が該左右一対の固定刃の対向面間に最も奥方まで入り込んだ場合にも該刃先における切断方向前方側端部の所定長さに亘る部分が該左右一対の固定刃の対向面間に入り込まずに、該刃先と該左右一対の固定刃の間に差し入れられた被加工板がそれら刃先と左右一対の固定刃の間に止まり、該被加工板がそれら刃先と左右一対の固定刃の間から外れてしまうことがないようにされた可動刃と、（ｆ）前記駆動ロッドを前記本体部分に対して軸方向に往復駆動せしめることにより、前記可動刃の刃先と前記左右一対の固定刃の間に差し入れられた被加工板に対して該本体部分側から該左右一対の固定刃を重ねて該可動刃の刃先を該被加工板の反対側から該本体部分側に繰り返し引き上げるように駆動せしめて、該可動刃の刃先を該左右一対の固定刃の対向面間に外方から出入作動させることにより、該左右一対の固定刃と該可動刃の間で該被加工板を略帯状に連続した切断代をもって切断する駆動機構と、（ｇ）前記支持部に対して固定的に設けられ、前記左右一対の固定刃よりも前記支持部の突出方向外方に配されて該左右一対の固定刃に対して離隔して対向位置せしめられることにより、前記被加工板の切断に際して該被加工板が該固定刃と該保持部材の対向面間を通過せしめられるようにして、該被加工板の裏面を保持する保持部材とを、有する切断工具にある。
【００１４】
このような本態様に従う構造とされた切断工具においては、被加工板に対して本体部分側から左右一対の固定刃を重ねると共に、可動刃を本体部分側に引き上げて左右一対の固定刃の対向面間に外方から入り込ませることにより、被加工板における可動刃と一方の固定刃の対向面間に位置せしめられた部分と可動刃と他方の固定刃の対向面間に位置せしめられた部分に剪断作用が及ぼされることとなる。従って、可動刃を本体部分側に繰り返し引き上げるように駆動せしめて、被加工板に本体部分側から重ねた左右一対の固定刃の対向面間に対して外方から出入作動させると共に、把持部によって本体部分を前方に向かって所望の切断方向に移動させることにより、被加工板が左右一対の固定刃と可動刃の間で略帯状の切断代をもって切断される。
【００１５】
特に本態様では、本体部分から延び出して設けられた支持部や駆動ロッドの先端部分に固定刃と可動刃が設けられており、可動刃が軸方向に往復駆動されることによって、左右一対の固定刃の対向面間に外方から出入作動される如き構造とされていることにより、可動刃と固定刃の間に被加工板を挟み入れた状態において、本体部分を被加工板に対して大きく傾斜させることができる。そして、支持部および駆動ロッドの中心軸を被加工板の切断表面に対して容易に傾斜させることにより、駆動ロッドおよび支持部に固定的に支持される可動刃および固定刃を、切断方向の前後方向で大きく傾斜させたり、切断方向に直交する方向で傾斜させたりすることが可能となる。それ故、被加工板が湾曲や屈曲していても、その表面形状に応じて本体部分を適宜に傾斜させることにより、被加工板の切断部位に可動刃および固定刃を有利に位置させて、剪断作用を確実に及ぼすことができる。
【００１６】
すなわち、本態様に係る切断工具においては、切断表面に湾曲部や屈曲部等を備えた被加工板に対しても、当該切断部分の形状に応じて可動刃および固定刃を傾斜させることにより、所望の切断行路に沿った切断加工が実現され得るのであり、しかも、一対の固定刃の対向面間に可動刃を出入作動せしめて被加工板に切断加工を施すことに伴い切断屑が帯状とされることから、切断加工の安全性の確保や切断屑の回収作業が有利に実現され得るのであり、これらの作用効果を比較的に簡単な構造で実現した点に、大きな特徴が存するのである。
【００１７】
因みに、本態様において採用される駆動ロッドを本体部分に対して軸方向に往復駆動せしめる駆動機構としては、特に限定されるものでなく、例えばシリンダおよびピストンを含んで構成すると共に、ピストンに駆動ロッドを連結して、シリンダ内の圧力を増減することにより、ピストンを介して駆動ロッドを軸方向に往復運動せしめるようにした空圧式乃至は油圧式アクチュエータが採用されても良い。或いは、駆動機構として、回転運動を直線的な往復運動に変換する各種のクランク機構やカム等を採用することも可能である。また、可動刃や固定刃、支持部等に切断屑の延びる方向を調整する案内溝や遮蔽板等を設けることも可能である。また、本態様では、切断加工の対象となる被加工板の材料や材質、厚さ等は、何等限定されるものでなく、それらの設定条件に応じて可動刃や固定刃の材質や形状、大きさ、駆動機構の構造等を変更設定することにより、各種の被加工板の切断加工に対処することが可能である。また、本態様に係る切断工具の好適な一採用例としては、例えば表面がセラミックスや樹脂、砂等で被覆されると共に、表面に屈曲部や湾曲部を備えた鋼板からなる瓦等の切断加工が挙げられる。また、本態様における駆動ロッドの形状や大きさ構造等は、何等限定されるものでない。
また、本態様においては、被加工板を切り進む際に、被加工板が保持部材で背面から支持されることによって、かかる被加工板が固定刃の刃先近くに位置決めされ得て、被加工板のバタツキが防止されると共に、被加工板の切断予定部を、固定刃と可動刃の間に有利に導き入れることが可能となる。これにより、被加工板の切断加工を、一層安定してスムーズに行うことが可能となるのである。
なお、本態様において採用される保持部材の構造や形状，大きさ等は、何等限定されるものでない。具体的には、例えば、保持部材が、ブロック状や平板形状等を呈していると共に、可動刃の周囲に位置せしめられた構造とされたり、或いは、断面コ字状とされて該コ字状内に可動刃が遊挿された構造等とされても良い。また、例えば、保持部材が、一対用意され、可動刃を挟んだ両側に配設された構造であっても良い。更に、保持部材の被加工板を支持せしめる箇所には、被加工板を切断方向の前後方向に案内する摺動部材やローラ等を設けることも可能である。
【００１８】
（本発明の態様２）
本発明の態様２の特徴とするところは、本発明の前記態様１に係る切断工具において、前記可動刃を前記本体部分から軸方向に突出位置せしめた状態で、該可動刃の刃先と前記左右一対の固定刃の刃先とを、切断方向前方に行くに従って次第に相互に離れるように相対的に傾斜せしめたことにある。
【００１９】
このような本態様においては、可動刃と固定刃の両刃先間での剪断作用によって被加工板に切断加工を施すに際して、応力集中の軽減や、それによる刃先の耐久性の向上等が図られ得ると共に、例えば、被加工板の種類等に応じて固定刃と可動刃の相対的な傾斜角度を調節することによって、いわゆる切れ味を適宜に調節することも可能となる。
【００２０】
なお、固定刃と可動刃を相対的に傾斜させて、切断方向前方に向かって次第に拡開する形態は、固定刃の刃先と可動刃の刃先の少なくとも一方を、切断方向に対して、一般には支持部の中心軸に直交する方向に対して適当に傾斜させることによって、実現可能である。その際、固定刃や可動刃の各刃先は、必ずしも直線的である必要はなく、円弧形状等の湾曲した曲線形状や、途中で傾斜角度が変化した屈曲形状等も採用することが出来る。
【００２１】
また、固定刃は、その切断方向後方の端部を可動刃から次第に離れる方向に傾斜させることも有効であり、それによって、例えば被加工板が湾曲している場合においても、固定刃の切断後における被加工板への干渉を回避しつつ、本体部分を被加工板に対して後方に向けて大きく傾斜させて切断を施すことが可能となる。
【００２２】
さらに、本態様では、固定刃と可動刃の両方の刃先を、支持部の軸方向に直交する方向に対して相互に拡開する方向に傾斜させた態様も、好適に採用される。これにより、湾曲乃至は屈曲した被加工板を一層容易に切断することが出来る。しかも、刃の長さを大きく確保しつつ、そのように湾曲乃至は屈曲した被加工板を容易に切断できるのである。蓋し、可動刃および固定刃が被加工板の湾曲乃至は屈曲部分に差しかかった時に、本体部分や支持部等を全体的に湾曲乃至は屈曲方向に応じて傾斜させると、湾曲乃至は屈曲部の内側に位置する可動刃または固定刃が被加工板に当接してしまい、被加工板に沿って巧く傾斜させることが難しくなってしまうが、かくの如き構成を採用すると、本体部分を被加工板に対して切断方向の前後方向に大きく傾斜させても、湾曲乃至は屈曲部の内側に位置する可動刃や固定刃が被加工板に当接することが軽減されて、可動刃および固定刃のスムーズな移動により、切断加工が有利に実現され得るからである。
【００２３】
また、本態様においては、可動刃が固定刃に対して最も内方（引き込み側）に移動せしめられた状態でも、可動刃における切断方向の先端部分は一対の固定刃の対向面間に入り込まないで外方に位置して該固定刃に対して所定距離を隔てて対向位置せしめられるようになっていることが望ましい。このような態様を採用することにより、被加工板の切断予定部を、常時、固定刃と可動刃の間に位置せしめて保持することが出来るのであり、スムーズに切断を進めることが可能となる。
【００２４】
（本発明の態様３）
本発明の態様３の特徴とするところは、本発明の前記態様１又は２に係る切断工具において、前記左右一対の固定刃および前記可動刃におけるそれぞれの切断方向前方の端部を、切断方向で略同じ位置にしたことにある。
【００２５】
このような本態様においては、固定刃および可動刃の各切断方向前方の端部が切断方向で略同じ位置に位置せしめられていることにより、可動刃および固定刃の何れか一方が被加工板の湾曲乃至は屈曲部の内側等に当接して両刃の切断方向の移動を妨げることが防止される。その結果、特に湾曲部や屈曲部等を多数備えたうねり形状の被加工板に対しても切断加工が有利に施され得る。
【００２６】
（本発明の態様４）
本発明の態様４の特徴とするところは、本発明の前記態様１乃至３の何れかに係る切断工具において、前記左右一対の固定刃の対向面間距離を設定変更する調整機構を設けたことにある。
【００２７】
このような本態様においては、左右一対の固定刃の対向面間距離が設定変更されることによって、可動刃が両固定刃の対向面間に入り込んだ際の可動刃と各一方の固定刃との対向面間距離が設定変更されることとなり、切断代の幅寸法が適宜に設定変更され得ると共に、被加工板の材質や厚さ等に応じて切断能力が良好に発揮され得る。なお、調整機構としては、例えば、一対の固定刃の対向面間にプレート等を密着して重ね合わせて、該プレートの厚さ寸法やプレートの重ねる枚数等を設定変更することにより、一対の固定刃の対向面間距離を設定変更したり、或いは支持部と各一方の固定刃の間にプレートを介装せしめて、一対の固定刃の対向面間距離を設定変更するようにした構造を採用しても良い。
【００２８】
（本発明の態様５）
本発明の態様５の特徴とするところは、本発明の前記態様１乃至４の何れかに係る切断工具において、前記支持部の突出先端部分の外周面の少なくとも一部が、該支持部の突出方向に向かって該支持部が次第に細くなる方向に傾斜した傾斜面とされていることにある。
【００２９】
このような本態様においては、可動刃および固定刃を切断方向の前方または後方に向かって傾斜させたり、或いは切断方向に直交する方向に傾斜させたりする際に、支持部の突出先端部分が被加工板に当接することが軽減されることとなり、以て、切断加工の操作性がより一層向上され得る。
【００３０】
（本発明の態様６）
本発明の態様６の特徴とするところは、本発明の前記態様１乃至５の何れかに係る切断工具にあって、前記左右一対の固定刃が、少なくとも前記支持部の突出先端部分において相互に離隔して対向位置せしめられており、該左右一対の固定刃の対向面間が切断方向の前方と後方でそれぞれ開口していることにある。
【００３１】
このような本態様においては、一対の固定刃の対向面間が切断方向の前方と後方でそれぞれ開口していることにより、一対の固定刃と可動刃の間で被加工板を切断する際に、それら両刃の間に被加工板が強く噛み込むことが回避されることとなり、安定した作動が実現され得る。しかも、一対の固定刃と可動刃の間で切断される切断屑が、一対の固定刃の対向面間における前方または後方の開口を通じて外部に排出され易くなることから、かかる左右一対の固定刃の対向面間に留まることが防止されることとなり、切断屑の排出効率や切断能力の向上が図られ得る。
【００３２】
（本発明の態様７）
本発明の態様７の特徴とするところは、本発明の前記態様１乃至６の何れかに係る切断工具であって、前記支持部の突出先端部分が、切断方向に直交する方向で相互に離隔して対向位置せしめられる左右一対の支持プレートを含んで構成されていると共に、前記左右一対の固定刃が、それぞれ、該左右一対の支持プレートの各一方に重ね合わされて固着されることにより、互いに略平行に離隔して対向位置せしめられていることにある。
【００３３】
このような本態様においては、一対の固定刃が各一方の支持プレートで支持されることから、各固定刃の固定強度を充分に確保しつつ、それら両固定刃の対向面間に比較的大きな隙間を形成することが出来るのであり、この隙間を利用して切断屑をよりスムーズに排出させることが可能となる。なお、支持プレートの形状や大きさ、構造等は、何等限定されるものでないが、望ましくは、支持プレートの突出先端部分等における外周面の少なくとも一部が、突出方向に向かって次第に細くなる方向に傾斜した傾斜面とされる。これにより、可動刃および固定刃を切断方向の前方または後方に向かって傾斜させたり、切断方向に直交する方向に傾斜させたりする際に、支持部の突出先端部分が被加工板に当接することが効果的に軽減される。また、例えば、支持プレートが平板形状を有する場合において、固定刃が支持プレートの板厚方向の何れの面に固着されるかに関しては、特定されるものでなく、当業者が適宜に設定変更し得る事項の一つである。
【００３４】
（本発明の態様８）
本発明の態様８の特徴とするところは、本発明の前記態様１乃至７の何れかに係る切断工具において、前記左右一対の固定刃の刃先を該左右一対の固定刃が対向する方向に突出せしめて、該左右一対の固定刃の対向面間距離をそれら固定刃における両刃先の対向面間距離よりも大きくして、かかる左右一対の固定刃における刃先よりも大きな対向面間を通じて、前記被加工板における帯状の切断屑が切断方向の前方に向かって順次に送り出されるようにしたことにある。
【００３５】
このような本態様においては、左右一対の固定刃の対向面間距離が該左右一対の固定刃の対向面間距離よりも小さくされていることにより、切断屑の幅寸法が小さくされて、それが寸法の大きな一対の固定刃の対向面間を通じて排出されることから、一対の固定刃の対向面間を通じての切断屑の排出が一層スムーズに実現され得る。
【００３８】
なお、本態様において採用される保持部材の構造や形状，大きさ等は、何等限定されるものでない。具体的には、例えば、保持部材が、ブロック状や平板形状等を呈していると共に、可動刃の周囲に位置せしめられた構造とされたり、或いは、断面コ字状とされて該コ字状内に可動刃が遊挿された構造等とされても良い。また、例えば、保持部材が、一対用意され、可動刃を挟んだ両側に配設された構造であっても良い。更に、保持部材の被加工板を支持せしめる箇所には、被加工板を切断方向の前後方向に案内する摺動部材やローラ等を設けることも可能である。
【００３９】
（本発明の態様９）
本発明の態様９の特徴とするところは、本発明の前記態様１乃至８の何れかに係る切断工具において、前記保持部材が、前記可動刃を厚さ方向に挟んだ両側に位置せしめられており、該保持部材によって、該可動刃が厚さ方向の両側において保護されるようになっていることにある。
【００４０】
このような本態様においては、保持部材を利用して可動刃を損傷から保護することが出来る。なお、保持部材の内面によって可動刃の側面をガイドさせるようにしても良い。
【００４１】
特に、本態様では、可動刃を厚さ方向に挟むようにして両側に配設される一対の保持部材として、略プレート形状のものを採用すると共に、その固定刃側の先端部分における外側面を、先端縁部に行くに従って内側に傾斜した傾斜面とすることが望ましい。これにより、切断加工に際して支持部を切断方向に対して左右に傾斜させた場合でも、保持部材の先端縁部が被加工板の湾曲部や屈曲部等に当接してしまう不具合が有利に軽減される。また、固定刃の刃先と保持部材の先端縁部の対向面間距離は、特定されるものでなく、被加工板の形状や厚さ寸法等に応じて適宜に設定変更される。そこにおいて、望ましくは、固定刃の刃先と保持部材の先端縁部の対向面間距離が、被加工板の厚さ寸法の１．１〜３．０倍に設定される。蓋し、かかる対向面間距離が１．１倍より小さくなると、切断機本体の切断方向の移動に際して、当該対向面に被加工板が引っ掛かり易くなるからであり、また、対向面間距離が３．０倍より大きくなると、被加工板が固定刃と保持部材の間でばたついてしまって安定して支持され難くなるからである。
【００４２】
（本発明の態様１０）
本発明の態様１０の特徴とするところは、本発明の前記態様１乃至９の何れかに係る切断工具において、前記固定刃と前記可動刃の軸方向の対向面間距離を調節する調節手段を設けたことにある。
【００４３】
このような本態様においては、切断加工対象である被加工板の厚さ寸法や形状等に応じて、可動刃と一対の固定刃における軸方向の対向面間距離を設定変更することが可能となり、以て、切断加工の更なる向上や、各種の被加工板への対応が容易に実現可能となる。なお、本態様における調節手段は、例えば、固定刃を位置決め支持する支持部と、可動刃を位置決め支持する駆動ロッドとの、少なくとも一方において、軸方向長さを調節する機構を設けることによって有利に実現可能である。具体的には、例えば支持部の途中に適当な大きさのシムやスペーサを組み付け可能とすることによって、かかる調節手段が実現され得る。
【００４４】
（本発明の態様１１）
本発明の態様１１の特徴とするところは、本発明の前記態様１乃至１０の何れかに係る切断工具において、前記固定刃が前記支持部に対して着脱可能とされていると共に、かかる固定刃が、（ｉ）前記被加工板における帯状の切断屑の案内面及び／又は前記可動刃の案内面を形成する固定刃の保持部材と、（ii）前記刃先が形成されて、該固定刃の保持部材に対して位置決めセットされる固定刃の刃先部材とによって分割形成されており、それら固定刃の保持部材と固定刃の刃先部材が、各別に該支持部に対して着脱可能となっていることにある。
【００４５】
このような本態様においては、特に磨耗し易い刃先を備えた固定刃の刃先部材だけを交換することが出来ると共に、この固定刃の刃先部材を位置決めする固定刃の保持部材を取り外すことによって、可動刃の交換等のメンテナンスを容易に行うことが可能となる。しかも、刃先だけでなく、保持部材を着脱交換可能としたことにより、例えば複数種類の可動刃や固定刃に対応することが可能となって、切断工具の適用範囲の拡大と、それに伴う利用範囲の拡大が図られ得る。
【発明の効果】
【００４６】
上述の説明から明らかなように本発明に従う構造とされた切断工具においては、本体部分から突設された支持部と駆動ロッドの各突出先端部分に対して左右一対の固定刃と可動刃が設けられており、駆動ロッドの軸方向の往復駆動によって可動刃を一対の固定刃の対向面間に外方から出入作動せしめて被加工板を切断するようになっていることから、可動刃と一対の固定刃の間で被加工板を切断する際に、駆動ロッドおよび支持部を被加工板に対して大きく傾斜させることが出来るのである。それ故、被加工板に傾斜部や湾曲部、屈曲部等があっても、被加工板の表面に対していつも略直交する方向で可動刃と固定刃を板厚方向に剪断作動せしめて、効率的な切断を安定して行うことが可能となるのである。
【００４７】
しかも、本発明に従う構造とされた切断工具では、一対の固定刃の対向面間に可動刃が出入作動されることによって被加工板の切断代が帯状に連続して排出されることから、切断加工の作業が容易であると共に、切断屑の回収処理も容易に行うことが出来る。
【発明を実施するための最良の形態】
【００４８】
以下、本発明を更に具体的に明らかにするために、本発明の実施形態について、図面を参照しつつ、詳細に説明する。先ず、図１には、本発明の第一の実施形態としての切断機１０が示されている。この切断機１０は、本体部分としての切断機本体１２に把持部１４を備えた手持ち式の切断工具とされており、例えば薄板鋼板の表面にセラミックスや樹脂、砂等をコーティングした瓦やその他の金属板等を切断する際に好適に用いられるようになっている。なお、以下の説明において、特に断りのない限り、上下方向は、図１中の上下方向をいう。
【００４９】
より詳細には、切断機本体１２は、第一のハウジング１６と第二のハウジング１８を含んで構成されている。長手状の略矩形箱体形状を呈する第一のハウジング１６には、中心軸回りに回転可能な出力軸２０を備えた電動モータ２２と該出力軸２０の回転速度を制御するコントローラ（図示せず）が内蔵されている。電動モータ２２には、例えば、公知のインダクションモータやユニバーサルモータ等が好適に採用される。また、第一のハウジング１６には、電動モータ２２に通電する給電用コード２４が取り付けられていると共に、電動モータ２２の通電状態をＯＮ／ＯＦＦする駆動スイッチ２６と、コントローラに出力軸２０の回転速度を制限する電気信号を入力する速度調整摘み２８が、それぞれ取り付けられている。そして、駆動スイッチ２６をオンした状態で速度調整摘み２８を操作することにより、コントローラから出力する電気信号によって電動モータ２２の出力軸２０の回転が制御されるようになっている。また、図面上に明示されていないが、電動モータ２２の出力軸２０には、後述する出力ピニオン４０や歯車ピン４２、大歯車４４の他に、複数の歯車列からなる公知の減速機構等が設けられても良く、それによって、出力軸２０の回転速度が減速機構等で減速されるようにしても良い。或いは、電動モータ２２の電圧を変化させること等により、出力軸２０の回転速度が減速されるようにすることも可能である。
【００５０】
また、第二のハウジング１８は、図２にも拡大して示されているように、略矩形箱体形状を呈しており、その側壁部３０が第一のハウジング１６の長手方向一方の端部に固着されている。また、第二のハウジング１８の上壁部３２には、略円錐台形状を有する取付金具３４が固着されている。取付金具３４の中央部分には、軸方向に貫通するねじ孔３６が設けられており、このねじ孔３６に対してロッド状の把持部１４ａが螺着固定されている。また、第二のハウジング１８の側壁部の一つには、作業者の手指の形状等に合わせた略段付きロッド状のグリップ３８を備えた把持部１４ｂが組み付けられており、該グリップ３８が把持部１４ａの軸方向と平行に延び、且つ把持部１４ａよりも第一のハウジング１６側に位置せしめられている。なお、本実施形態では、これら把持部１４ａ，１４ｂが切断機本体１２に対して着脱可能に取り付けられていることにより、例えば、例示の如き把持部１４ａ，１４ｂに代えて、図示しない各種の把持部を切断機本体１２に装着することも可能である。
【００５１】
さらに、第一のハウジング１６に取り付けられた電動モータ２２の出力軸２０の先端部には、出力ピニオン４０が固着されており、該ピニオン４０が第二のハウジング１８の側壁部３０を貫通して、第二のハウジング１８内に収容配置されている。また、第二のハウジング１８の側壁部３０には、出力ピニオン４０の軸方向と平行に延びる歯車ピン４２が立設されている。そして、大歯車４４が、歯車ピン４２に対して回転可能に支持されていると共に、出力ピニオン４０に噛合されている。また、大歯車４４における歯車ピン４２と反対側の端部には、回転軸４６が固設されている。この回転軸４６は、大径の円柱形状を呈しており、大歯車４４と同心軸上に位置せしめられて一体的に回転されるようになっている。また、回転軸４６の外方端部には、円板状のクランクアーム４８が同心軸上に一体形成されていると共に、該クランクアーム４８の回転軸４６と反対側の端部には、略円柱形状のクランクピン５０が固着されている。このクランクピン５０は、回転軸４６およびクランクアーム４８の中心軸に偏倚して、且つ平行に延びている。また、クランクピン５０には、軸受５２を介してコンロッド５４が回転可能に軸装されている。コンロッド５４は、略矩形ロッド状とされており、軸方向一方の端部に大径の環状筒部５６が一体形成されて、該環状筒部５６が軸受５２を介してクランクピン５０に回転可能に支持されることにより該クランクピン５０と連結している。これにより、コンロッド５４は、クランクピン５０の中心軸回りに回転可能とされている。また、コンロッド５４の軸方向他方の端部には、回転軸４６の中心軸と平行に延びるようにして貫通孔５８が貫設されている。
【００５２】
更にまた、第二のハウジング１８の下壁部６０には、支持部としての支持筒金具６２が配設されている。支持筒金具６２は、図３〜５にも拡大して示されているように、略矩形筒体形状乃至は略円筒形状を有する上筒金具６４および下筒金具６６を含んで構成されている。上筒金具６４の軸方向両端部分には、段差部６７を介して軸方向中間部分の幅寸法よりも僅かに小さな幅寸法の嵌着部６８が、それぞれ一体形成されている。
【００５３】
また、下筒金具６６の軸方向上端部分には、幅方向（図４〜５中、左右方向）に広がる段差部７０を介して軸方向中間部分の幅寸法よりも大きな幅寸法の嵌着筒部７２が一体形成されている。更に、下筒金具６６の軸方向下端部分には、支持筒金具６２の突出先端部分としての一対の支持プレート７４，７４が一体形成されている。これら一対の支持プレート７４，７４は、平板形状とされており、下筒金具６６の幅方向内側において相互に略平行に離隔して対向位置せしめられている。特に本実施形態では、支持プレート７４の前方端部７６が下筒金具６６の周壁部と面一とされている一方、支持プレート７４の後方端部７８が軸方向上方から下方に向かって前方端部７６側に傾斜されている。更に、支持プレート７４の突出先端部分８０における側壁部の外周面が、軸方向上方から下方に向かって先細となるように傾斜した傾斜面とされている。更にまた、突出先端部分８０における前方端部７６と後方端部７８に接する部分が、略円弧状に湾曲されている。更にまた、下筒金具６６は、幅方向（図４，５中、左右）で対向位置せしめられる両側において、それぞれ、外周面が周方向所定幅で切り欠かれており、その一方の切欠部の略中央には、略矩形状の開口窓８２が内外に貫通して形成されている。また、下筒金具６６の後方側（図３中、左）には、長孔形状の挿通窓８４が内外に貫通して形成されている。挿通窓８４の軸方向一方の端部は、下筒金具６６の軸方向中間部分に位置せしめられていると共に、挿通窓８４の軸方向他方の端部は、下筒金具６６の下端部を貫通して一対の支持プレート７４，７４の対向面間に接続されている。
【００５４】
而して、これら上筒金具６４と下筒金具６６は、上筒金具６４の嵌着部６８が下筒金具６６の嵌着筒部７２に嵌め込まれてボルトや溶接等で固着されることにより、支持筒金具６２を構成している。そして、支持筒金具６２は、上筒金具６４の上端部に形成された嵌着部６８が第二のハウジング１８の下壁部６０を貫通してボルトや溶接等で固着されることにより、第二のハウジング１８、ひいては切断機本体１２に対して固定的に支持されている。また、このような組み付け状態下においては、第二のハウジング１８の幅方向に直交する前後方向（図１中、右左）で、支持プレート７４の前方端部７６が前方（図１中、右）に、支持プレート７４の後方端部７８が後方（図１中、左）に位置せしめられている。
【００５５】
また、一対の支持プレート７４，７４の対向面間には、一対の固定刃８６，８６が配設されている。かかる固定刃８６は、図６〜８にも拡大して示されているように、略平板形状を有している。また、固定刃８６の軸方向下方の先端部分は、軸方向上方から下方に向かって先細りとなるように傾斜せしめられている。そして、該先端部分には、固定刃８６の内周面８８から内方に僅かに突出せしめられた略矩形断面の刃先９０が設けられている。刃先９０は、固定刃８６の上端部や下端部と略平行に延びており、全体に亘って鋭利に研磨されている。特に本実施形態では、刃先９０の前後方向（図６中、右左）の各端部および固定刃８６の前後方向の各端部が、端縁部に近づくに従って次第に上方に立ち上がるように略円弧状に湾曲されている。また、固定刃８６には、一対のねじ孔９２，９２が軸方向に離隔して貫設されている。なお、本実施形態では、固定刃８６の刃先９０が、固定刃８６と一体形成されて砥石等で研磨されることにより構成されているが、刃先部を備えたチップを固定刃８６に対して後固着することにより構成されても良い。
【００５６】
また、固定刃８６の刃先９０やねじ孔９２を避けた位置には、遮蔽板９４が一体形成されている。この遮蔽板９４は、略平面視三角形状を呈しており、固定刃８６の上端部に位置決め配置されていると共に、固定刃８６の内周面８８から刃先９０の突出高さよりも遙かに大きな高さで内方に突出している。なお、遮蔽板９４の下端部は、軸方向にストレートに延び、その先端部分が固定刃８６の刃先９０付近に位置せしめられている。これにより、遮蔽板９４の幅方向一方（図６中、右）の側壁部９６が、刃先９０付近から軸方向にストレートに延び、且つ軸方向中間部分から軸方向上端部に向かって固定刃８６の前方端部側に傾斜した形状とされている。また、固定刃８６の上端部付近には、固定刃８６および遮蔽板９４を貫通するねじ孔９８が設けられている。
【００５７】
また、一対の固定刃８６，８６は、内周面８８を互いに向き合わせて遮蔽板９４を相互に重ね合わせることにより、内周面８８に突設された一対の刃先９０，９０が互いに略平行に離隔して対向位置せしめられている。即ち、本実施形態では、一対の刃先９０，９０が一対の固定刃８６，８６の内周面８８，８８よりも軸直角方向内方に位置せしめられていることにより、一対の固定刃８６，８６の内周面８８，８８の対向面間距離：ｗ1 が、両固定刃８６，８６における一対の刃先９０，９０の対向面間距離：ｗ2 よりも大きくされている。
【００５８】
また、一対の固定刃８６，８６の刃先９０，９０の上方に位置する対向面間には、介装プレート１００が配設されている。かかる介装プレート１００は、略矩形平板形状を呈しており、一対の貫通孔１０２，１０２が軸方向に離隔して設けられている。また、介装プレート１００の幅方向一方（図６中、左）の側壁部１０４が、遮蔽板９４の側壁部９６と所定の離隔距離をもって対向位置せしめられている。これにより、遮蔽板９４と介装プレート１００が協働して後述する切断屑の案内溝１０６を形成している。
【００５９】
そして、対向面間に介装プレート１００を挟み入れた一対の固定刃８６，８６は、支持筒金具６２における一対の支持プレート７４，７４の前方端部７６，７６付近の対向面間に配置せしめられて、遮蔽板９４に設けられたねじ孔９８に支持プレート７４を貫通して固定用ボルト１０８が螺着されている。更に、固定刃８６に設けられた一対のねじ孔９２，９２と介装プレート１００に設けられた貫通孔１０２，１０２が、それぞれ位置あわせされると共に、それらねじ孔９２および貫通孔１０２に対して一方の支持プレート７４から他方の支持プレート７４に貫通する固定用ボルト１１０が螺着されている。これにより、一対の固定刃８６，８６が、支持プレート７４に対して固定的に支持せしめられている。しかも、一対の固定刃８６，８６の刃先９０，９０が、一対の支持プレート７４，７４の対向面間において、互いに略平行に離隔して対向位置せしめられていると共に、支持プレート７４の突出先端部分８０よりも軸方向外方に突出している。また、このような組み付け状態において、一対の固定刃８６，８６の対向面間が、固定刃８６の前後方向（図１中、右左）における前方と後方で、それぞれ、開口している。
【００６０】
また、上下筒金具６４，６６からなる支持筒金具６２には、上筒金具６４の中央孔と下筒金具６６の中央孔が協働して支持筒金具６２内を軸方向に延びる挿通孔１１２が形成されている。挿通孔１１２の軸方向一方の端部は、上筒金具６４の上端部に開口して、第二のハウジング１８内に通じていると共に、挿通孔１１２の軸方向他方の端部は、下筒金具６６の下端部に開口し、一対の支持プレート７４，７４の対向面間に通じている。そして、かかる挿通孔１１２に対して、駆動金具１１４が軸方向に往復移動可能に挿通されている。
【００６１】
駆動金具１１４は、ロッド状とされており、その軸方向一方（図３〜５中、上）の先端部分には、軸直角方向に延び、且つ両端が周壁部に開口する嵌着溝１１６が設けられている。この嵌着溝１１６には、第二のハウジング１８内においてクランクピン５０に連結したコンロッド５４の下端部が遊挿されている。そして、クランクピン５０、ひいては回転軸４６の中心軸と平行に延びる連結ピン１１８が、コンロッド５４の下端部を板厚方向に貫通して、嵌着溝１１６の幅方向両側に位置する駆動金具１１４の上端部に支持されることにより、コンロッド５４が駆動金具１１４に回転可能に連結している。
【００６２】
また、駆動金具１１４の軸方向他方の端部には、取付片１２０が一体形成されている。取付片１２０は、軸方向の全体に亘って略一定の矩形断面形状乃至は円弧断面形状で延びていると共に、駆動金具１１４の厚さ方向一方（図５中、右）に偏倚している。また、取付片１２０の上端部付近には、係合溝１２２が厚さ方向に凹設されており、以て、取付片１２０の軸方向断面が鉤状とされている。特に本実施形態では、係合溝１２２の軸方向で相互に対向位置せしめられる一対の側面が、支持筒金具６２の軸直角方向線に対して所定の傾斜する方向（図３中、右斜め上の方向）に傾斜されている。また、取付片１２０における係合溝１２２と反対側の端部には、軸方向に離隔して一対のねじ孔１２４，１２４が貫設されている。これらねじ孔１２４，１２４は、下筒金具６６の開口窓８２に面して配設されている。更に、取付片１２０には、軸方向の略全体に亘って略一定の凹状断面で延びる係合凹所１２３が設けられている。そして、係合凹所１２４の底部に、係合溝１２２やねじ孔１２４が配設されている。
【００６３】
さらに、駆動金具１１４の取付片１２０には、可動板１２６が取り付けられている。かかる可動板１２６は、図９〜１１にも拡大して示されているように、長手状の略平板形状とされており、その軸方向上端部には、厚さ方向一方（図９中、右）に所定の高さで突出する係合突部１２８が一体形成されている。特に本実施形態では、係合突部１２８が、前述の駆動金具１１４における係合溝１２２の形状に対応した略平面視平行四辺形状とされている。即ち、係合突部１２８の軸方向で相互に対向位置せしめられた上端面１２５と下端面１２７が、可動板１２６の軸直角方向線に対して所定の傾斜する方向（図１０中、左斜め上の方向）に傾斜されている。
【００６４】
また、可動板１２６における係合突部１２８の下方には、軸方向に離隔して一対の貫通孔１３０，１３０が貫設されている。更に、可動板１２６の板厚方向に直交する前後方向（図１０中、左右）で後方に位置する後方端部（面）１３２の軸方向中間部分が、軸方向上方から下方に向かって前方端部（面）１３４側に所定の長さで傾斜されている。これにより、可動板１２６の軸方向下端部の幅寸法が、軸方向上端部の幅寸法よりも小さくされている。また、可動板１２６の軸方向下端部は、前方端部１３４付近から後方端部１３２に向かって次第に厚さ寸法が小さくされている。
【００６５】
また、可動板１２６における軸方向下方の先端部分には、前方（図１０中、左）に向かって略Ｌ字状に屈曲するようにして可動刃１３６が一体的に設けられている。即ち、可動刃１３６は可動板１２６の前方端部１３４よりも前方に突出している。可動刃１３６は、略平板形状を呈しており、刃の厚さ寸法が可動板１２６の板厚寸法と略同じとされている。また、可動刃１３６の上端部には、刃先１３８が設けられている。即ち、刃先１３８を有する先端部分が、可動刃１３６の上端部を含んで構成されている。刃先１３８は、水平方向（図９中、左右）に対して所定の傾斜角度で傾斜されていると共に、水平方向の両縁部が鋭利に研磨されている。なお、本実施形態では、上述の固定刃８６の刃先９０と同様に、可動刃１３６の刃先１３８が、可動刃１３６と一体形成されて砥石等で研磨されることにより構成されているが、刃先部を備えたチップを可動刃１３６に対して後固着することにより構成されても良い。
【００６６】
また、特に本実施形態では、可動刃１３６の前方端部が前方（図１０中、左）に向かって略円弧状に湾曲されている。また、可動刃１３６は、軸方向中間部分から軸方向下端部に向かって次第に厚さ寸法が小さくされている。なお、可動刃１３６および可動板１２６の厚さ寸法は、前述の左右一対の固定刃８６，８６における刃先９０，９０の対向面間距離よりも僅かに小さくされている。
【００６７】
そして、このような可動刃１３６を一体的に備えた可動板１２６は、可動板１２６の前方端部１３４側から下筒金具６６の挿通窓８４を通じて挿通孔１１２内に案内されて、該挿通孔１１２内に位置せしめられた駆動金具１１４における取付片１２０の係合溝１２２に可動板１２６の係合突部１２８が嵌装される。更に、可動板１２６は、固定用ボルト１４０が下筒金具６６の開口窓８２を通じて可動板１２６の各貫通孔１３０を貫通すると共に取付片１２０の各ねじ穴１２４に螺着されることにより、駆動金具１１４に固定されて、支持筒金具６２に沿って軸方向に往復移動可能とされている。
【００６８】
また、上述の如き組み付け状態にあって、可動板１２６の軸方向中間部分が、支持筒金具６２の挿通孔１１２の下端開口部を貫通して、一対の支持プレート７４，７４の後方端部７８付近の対向面間に位置せしめられている。更に、可動板１２６の先端部分が、一対の支持プレート７４，７４の対向面間から軸方向下方に突出せしめられていると共に、該可動板１２６の先端部分に前方に向かって略Ｌ字状に屈曲するようにして設けられた可動刃１３６の刃先１３８が、一対の固定刃８６，８６の刃先９０，９０の対向面間と軸方向で所定の離隔距離をもって対向位置せしめられている。また、固定刃８６および可動刃１３６の前方端部が、切断機本体１２の幅方向に直交する前後方向（図１中、右左）で略同じ位置に位置せしめられている。更に、固定刃８６の前方端部と可動刃１３６の前方端部は、何れも略円弧状に湾曲されていることにより、前方（図１中、右）に行くに従って次第に相互に離れるように相対的に傾斜せしめられている。
【００６９】
このような構造とされた切断機１０においては、電動モータ２２の通電によって出力軸２０が回転されると、出力軸２０に固着された出力ピニオン４０の回転力が大歯車４４を介して回転軸４６に伝えられることとなり、大歯車４４の中心軸回りに回転軸４６およびクランクアーム４８が回転駆動されると共に、回転軸４６の中心軸に偏倚してクランクアーム４８に固着されたクランクピン５０が回転軸４６の中心軸周りに回転されることとなる。そして、クランクピン５０の回転作動に伴いコンロッド５４がクランクアーム４８の回転軸４６に対するクランクピン５０の偏心量：ｄの２倍の距離だけ軸方向に昇降動されるようになっている。それによって、コンロッド５４の昇降動に連動して、駆動金具１１４および該金具１１４に固着された可動板１２６が支持筒金具６２の挿通孔１１２に沿って切断機本体１２に対して軸方向に往復駆動されることとなり、固定刃８６の軸方向下方に位置せしめられた可動刃１３６が一対の固定刃８６，８６の対向面間に対して出入作動されるようになっている。なお、このことからも明らかなように、本実施形態では、可動刃１３６を固定的に設けた駆動ロッドが、駆動金具１１４と可動板１２６を含んで構成されていると共に、駆動ロッドを切断機本体１２に対して軸方向に往復駆動せしめる駆動機構が、出力軸２０を備えた電動モータ２２や、出力ピニオン４０や大歯車４４を含む減速機構、回転軸４６やクランクアーム４８、クランクピン５０、コンロッド５４等を備えてなるクランク機構１４２を含んで構成されている。
【００７０】
このような構造とされた切断機１０は、その使用方法や用途、切断加工を施す対象物等に関して何等限定されるものでないが、例えば、図１２にも示されているように、被加工板としての鋼板瓦１４４を切断する際に好適に用いられる。かかる鋼板瓦１４４は、薄板のトタンの表面にセラミックスや樹脂、砂等を被覆せしめた構造とされていると共に、湾曲乃至は屈曲した部分を幅方向に多数条備えている。以下に、本実施形態に係る切断機１０を用いて鋼板瓦１４４を切断する際の一加工例について説明するが、本実施形態はかかる具体例に限定されるものでない。
【００７１】
先ず、鋼板瓦１４４に目的とする切断行路に沿った罫書き線１４６を描く。また、把持部１４ａ，１４ｂで切断機本体１２を支持しつつ、鋼板瓦１４４に対して切断機本体１２側から一対の固定刃８６，８６の刃先９０，９０を重ねると共に、可動刃１３６を罫書き線１４６の進行方向となる切断方向前方に向かって突出するように位置せしめることによって、一対の固定刃８６，８６の対向面間と可動刃１３６の軸方向対向間に鋼板瓦１４４を挟み入れる。而して、駆動スイッチ２６をオンして、切断機本体１２に内蔵された電動モータ２２およびクランク機構１４２を駆動せしめて、可動板１３６を支持筒金具６２に沿って軸方向に往復駆動せしめることにより、可動刃１３６を鋼板瓦１４４の反対側から切断機本体１２側に繰り返し引き上げるように駆動せしめて、可動刃１３６を一対の固定刃８６，８６の対向面間に外方から出入作動させる。
【００７２】
これにより、図１３〜１６にも拡大して示されているように、可動刃１３６を一対の固定刃８６，８６の対向面間に入り込ませた際に、可動刃１３６の刃先１３８の両縁部と一対の固定刃８６，８６の刃先９０，９０が協働して鋼板瓦１４４に剪断作用を及ぼすこととなり、可動刃１３６と一対の固定刃８６，８６の間に位置せしめられた部分が、帯状の切断代が切断された切断屑１４８として鋼板瓦１４４から切り離される。而して、可動刃１３６を一対の固定刃８６，８６の対向面間に対して繰り返し出入作動させつつ、罫書き線１４６に沿って切断機本体１２を移動せしめることにより、該切断屑１４８が帯状となって、介装プレート１００と遮蔽板９４の間に形成された案内溝１０６の下方開口部を通じて上方開口部に案内されて、外方に排出される。これにより、本実施形態に係る切断機１０を用いた鋼板瓦１４４の切断加工が実現される。
【００７３】
特に本実施形態では、可動刃１３６が軸方向に往復駆動されて、一対の固定刃８６，８６の対向面間に出入作動されることによって鋼板瓦１４４に切断加工が施されるようになっていることにより、例えば、鋼板瓦１４４の湾曲乃至は屈曲する部分に可動刃１３６および固定刃８６が差し掛かった際に、図１４にも示されているように、可動板１２６乃至は支持筒金具６２の中心軸を切断方向（図１４中、左右）の後方に所定の傾斜角度：αで傾斜させたり、或いは図１６にも示されているように、可動板１２６乃至は支持筒金具６２の中心軸を切断方向に直交する方向（図１６中、左右）の一方に所定の傾斜角度：βで傾斜させたりすることが可能となる。それ故、湾曲乃至は屈曲する部分を多数備えた鋼板瓦１４４に対しても、当該部分に応じて可動刃１３６および固定刃８６を傾斜させることによって、剪断作用を確実に及ぼすことが可能となるのであり、それによって、所望の切断行路にそった切断加工が有利に実現され得る。しかも、一対の固定刃８６，８６間に外方から可動刃１３６が入り込むことによって、鋼板瓦１４４の切断屑１４８が小片に分断されることなく帯状となって排出されることから、切断屑１４８の回収が有利に実現され得るのである。
【００７４】
また、本実施形態では、一対の固定刃８６，８６の対向面間に介装プレート１００が重ね合わされて配設されていることにより、固定刃８６が支持プレート７４に対してより安定して支持される。しかも、介装プレート１００や支持プレート７４の板厚寸法や固定用ボルト１０８，１１０の長さ等を適宜に設定変更することにより、両固定刃８６，８６の対向面間距離が容易に設定変更されることから、固定刃８６，８６の刃先９０，９０の対向面間距離、ひいては、可動刃１３６が一対の固定刃８６，８６の対向面間に入り込んだ際の可動刃１３６と各固定刃８６との対向面間距離を容易に調整することが可能となり、切断能力の調整が容易に実現され得る。なお、このことからも明らかなように、左右一対の固定刃８６，８６の対向面間距離を調整する調整機構が、介装プレート１００や支持プレート７４、固定用ボルト１０８，１１０等を含んで構成されている。
【００７５】
また、本実施形態では、固定刃８６および可動刃１３６の前方端部が、それぞれ、互いに離れる方向に向かって傾斜されていると共に、支持プレート７４の後方端部７８や突出先端部分８０の側壁部の外周面等が、軸方向上方から下方に向かって先細りとなるように傾斜されていることにより、固定刃８６および可動刃１３６を鋼板瓦１４４に対して傾斜させた際に、両刃８６，１３６の刃先９０，１３８以外の各部位が、鋼板瓦１４４の湾曲乃至は屈曲部等に当接することが軽減されることとなり、より一層優れた切断加工が実現され得る。
【００７６】
さらに、本実施形態では、一対の固定刃８６，８６の内周面８８，８８の対向面間距離：ｗ1 が、一対の固定刃８６，８６の刃先９０，９０の対向面間距離：ｗ2 よりも大きくされていることにより、一対の固定刃８６，８６の刃先９０，９０における比較的に小さな対向面間距離：ｗ2 によって、一対の固定刃８６，８６の各刃先９０と可動刃１３６の刃先１３８の協働した剪断切断作用が有効に発揮されることに加えて、切断屑１４８が案内されることとなる、一対の固定刃８６，８６の内周面８８，８８の対向面間距離：ｗ1 が大きくされていることによって、切断屑１４８が効率的に且つ安全に排出される。
【００７７】
更にまた、本実施形態では、係合溝１３６と係合突部１２８が、切断方向の前後方向線に対して傾斜した形状とされて係止されていることにより、特に、可動板１２６に対して切断方向における応力的な外力作用が及ぼされた場合に、係止作用が有利に発揮されるので。以て、可動板１２６の捩れ等が効果的に阻止される。
【００７８】
また、本実施形態では、可動板１２６における軸方向下方の幅寸法に比して軸方向上方の幅寸法が、切断方向の後方に向かって大きくされていることにより、応力的に外力作用する可動刃１３６の刃先１３８の突出方向と反対の軸方向上部における切断方向後方端部が幅広とされる。従って、鋼板瓦１４４が切断後に後方に送られる際に両側の切断縁部間に位置せしめられる可動板１２６の先端部分の幅寸法を小さく設定して、鋼板瓦１４４の切断縁部に対する可動板１２６の干渉が抑えられることにより、鋼板瓦１４４のバタツキを軽減せしめつつ、切断反力によって大きな曲げモーメントが作用せしめられることとなる可動板１２６の上端部分では、大きな部材幅寸法で部材強度を有利に確保することが出来るのである。
【００７９】
次に、図１７には、本発明の第二の実施形態としての切断機１５０が示されている。かかる切断機１５０は、前記第一の実施形態と同様に、主として鋼板瓦１４４等の金属薄板等を切断する際に好適に用いられるようになっている。なお、以下の説明において、第一の実施形態と実質的に同様な構造とされた部材及び部位については、図中に第一の実施形態と同一の符号を付することにより、それらの詳細な説明を省略する。
【００８０】
詳細には、本実施形態に係る切断機本体１２は、電気ドリル１５２を含んで構成されている。電気ドリル１５２には、公知の手持ち式の電気ドリル等が適宜に採用されることからその詳細な説明を省略するが、中心軸回りに回転可能な出力軸１５４を備えた電動モータ（図示せず）が内蔵されていると共に、該電動モータの通電状態をＯＮ／ＯＦＦする駆動スイッチ１５６等が取り付けられている。そして、駆動スイッチ１５６をオンすることで、電動モータの出力軸１５４が回転駆動せしめられるようになっている。なお、電動モータとしては、例えば、公知の直流型直巻の整流子モータが好適に採用され、例えば２５０〜５００Ｗ程度の定格出力で数千回転／分の範囲で回転速度を変更制御できるものが好適に採用され得る。また、該モータの電力供給手段には、電気ドリル１５２に内蔵された蓄電器や蓄電池等の他、電気ドリルに１５２に取り付けられて外部電力を電動モータに導く給電用コード等が適宜に採用される。また、駆動スイッチ１５６や別途設けた速度調整スイッチ等の操作量に応じて電動モータの電圧を変化させたり、或いは複数の歯車列からなる公知の減速機構等が出力軸に配設されたりすることによって、電動モータの出力軸１５４の回転を制御するようにしても良い。また、電気ドリル１５２には、作業者の手指の形状等に対応した形状を有する把持部１４ｃが、電気ドリル１５２のハウジングケースを含んで構成されており、以て、本実施形態に係る把持部１４の一部として構成されている。
【００８１】
また、電気ドリル１５２の出力軸１５４は、図１８にも拡大して示されているように、第一のハウジング１６および第二のハウジング１８内に一直線状に延びるようにして収容配置されている。そして、出力軸１５４の先端部分には、該出力軸１５４と同心軸上に位置せしめられるようにして回転軸４６が固着されている。即ち、出力軸１５４の回転力が回転軸４６に直接に及ぼされて、回転軸４６が出力軸１５４と一体的に回転されるようになっている。
【００８２】
また、本実施形態では、第一および第二のハウジング１６，１８や支持筒金具６２等が、把持され易い外形形状（例えば、長手ロッド状等）を呈していることにより、把持部１４の一部を構成する把持部１４ｄとしても構成されている。
【００８３】
また、上筒金具６４における軸方向下方の嵌着部６８の後方側（図１９中、左）の周壁部には、軸方向に所定の長さで延びる係止溝１５７が、外周面に開口して凹設されている。また、下筒金具６６における嵌着筒部７２の後方側（図１９中、左）の周壁部には、固定用のねじ孔１５９が貫設されている。更に、前記第一の実施形態と同様に、嵌着部６８が嵌着筒部７２に嵌め込まれて組み合わされた上下筒金具６４，６６は、嵌着筒部７２のねじ孔１５９に螺着された固定用ボルト１６３が嵌着部６８に設けられた係止溝１５７に対して係止されることにより、上筒金具６４と下筒金具６６が、相対的に固定されている。なお、上下筒金具６４，６６は、固定用ボルト１６３をゆるめることにより、係止溝１５７の軸方向長さだけ軸方向で相対的に位置調整可能とされている。
【００８４】
さらに、上筒金具６４の段差部６７と下筒金具６６の嵌着筒部７２の上端部分の間には、図１９〜２１にも示されているように、必要に応じてシム１６１が介装され得るようになっている。シム１６１は、略平面視Ｃ字状の薄肉プレート形状とされており、上筒金具６４の嵌着部６８に外挿されて、段差部６７と嵌着筒部７２の上端面の間に組み込まれる。シム１６１の装着の有無や、装着するシム１６１の厚さ寸法を選定することにより、支持筒金具６２の軸方向長さが調節されるようになっており、例えば、固定刃８６の刃先９０を研磨した場合等において、固定刃８６の刃先９０と後述する可動刃１６０の刃先１６２との軸方向の対向面間距離を調節することが出来るようになっている。なお、このことからも明らかなように、本実施形態では、固定刃８６と可動刃１６０の軸方向の対向面間距離を調節する調節手段が、係止溝１５７や固定用ボルト１６３、シム１６１等を含んで構成されている。
【００８５】
また、固定刃８６は、図２２（ａ），（ｂ）にも示されているように、軸方向中間部分で上下に分割されている。これにより、後述の如く、固定刃８６が支持プレート７４に固定される際に、刃先９０を備えた固定刃の刃先部材としての下刃部分８６ａと、固定刃の保持部材としての上刃部分８６ｂが支持プレート７４に各別に固定されることとなる。なお、下刃部分８６ａと上刃部分８６ｂは、各別に、一本或いは複数本のボルト１０８によって、何れか一方の支持プレート７４の内面に重ね合わされて固定されている。そこにおいて、上刃部分８６ｂは下刃部分８６ａよりも僅かに薄肉とされていることが望ましく、それによって、可動刃１６０と固定刃８６で切断された上方に導かれ前方に排出される切り屑１４８が、下刃部分８６ａと上刃部分８６ｂの境界に対して引っ掛かることが防止される。そして、このように固定刃８６を、下刃部分８６ａと上刃部分８６ｂに分割形成したことにより、下刃部分８６ａだけを交換することで、固定刃８６の刃先９０の研磨作業が容易となると共に、上刃部分８６ｂにおける可動刃１６０の案内面等の研磨作業等も容易となる。しかも、固定刃８６を研磨したり交換する場合には下刃部分８６ａだけを取り外すことで速やかに対応することが可能であると共に、上刃部分８６ｂまで取り外すことによって、可動刃１６０を容易に着脱することが可能となる。
【００８６】
なお、左右一対の固定刃８６の上刃部分８６ｂには、切断方向の後方端縁部に位置して、上下方向に直線的に延びて下方に突出する突条形状のガイド部１７１が一体形成されている。このガイド部１７１は、その上刃部分８６ｂの下端縁からの突出部分によって、下刃部分８６ａを位置決め支持せしめるようになっていると共に、上刃部分８６ｂの厚さ方向内方への突出先端面によって、可動板１２６（可動刃１６０）の両側面を案内するようにして、上下変位可能に保持せしめるようになっている。
【００８７】
また、固定刃８６の刃先９０やねじ孔１５９を避けた、上刃部分８６ｂの上端部分には、組み付け板１６５が一体形成されている。この組み付け板１６５は、略平面視三角形状を呈しており、第一の実施形態における遮蔽板９４と同様に、固定刃８６の内周面８８から刃先９０の突出高さよりも遙かに大きな高さで内方に突出していると共に、固定刃８６と共に貫通されるねじ孔９８が設けられている。なお、本実施形態に係る固定刃８６の幅寸法は、第一の実施形態に係る固定刃（８６，８６）の幅寸法よりも大きくされている。
【００８８】
そして、一対の固定刃８６，８６は、一対の組み付け板１６５，１６５が相互に重ね合わされた形態で、支持筒金具６２における一対の支持プレート７４，７４の前方端部７６，７６付近の対向面間に配置せしめられていると共に、各固定刃８６に設けられた３つのねじ孔９２，９２，９８に対して、ぞれぞれ、支持プレート７４を貫通して固定ボルト１０８が螺着されている。これにより、一対の固定刃８６，８６が、支持筒金具６２の突出先端部分としての支持プレート７４に対して直接に固定されて支持せしめられている。また、かかる組み付け状態では、一対の固定刃８６，８６の前方端部が、支持プレート７４の前方端部７６よりも切断方向前方（図１９中、右）に突出している。
【００８９】
また、可動板１２６における軸方向下方の先端部分１５８には、図２３〜２４にも拡大して示されているように、前方（図２３中、左）に向かって略Ｌ字状に屈曲するようにして本実施形態の可動刃１６０が一体形成されている。即ち、可動刃１６０は、可動板１２６の先端部分１５８を含んで、そこから前方に向かって突出する形態をもって形成されている。
【００９０】
可動刃１６０は、その厚さ寸法が可動板１２６の厚さ寸法と略同じとされている。また、可動刃１６０には、その軸方向（図２３中の下方）に延びる部分の前端縁部から前方（図２３中の左方）に向かって突出する部分の上端縁部に亘って、可動刃１６０の内周縁部を連続して延びるように刃先１６２が形成されている。この刃先１６２は、例えば図２５（ａ）又は（ｂ）に示されている如き断面形状とされており、水平方向（図２５中、左右）の両縁部が鋭利に研磨されている。なお、本実施形態では、可動刃１６０の刃先１６２が、第一の実施形態と同様に、可動刃１６０等と一体形成されて砥石等で研磨されることにより構成されている。
【００９１】
特に本実施形態では、可動刃１６０の刃先１６２が、可動板１２６の軸直角方向線１６７（図２３参照。）に対して、切断方向の前方（図２３中、左）に行くに従って所定の傾斜角度：γで下方に傾斜して直線的に延びる傾斜刃とされている。かかる傾斜角度：γは、必ずしも限定されるものでないが、本実施形態において、好ましくはγ＝５〜３０°、より好ましくはγ＝１０〜１５°とされる。このようなγの値を採用することにより、例えば厚さが０．１〜１．０mmの鋼板等の薄板金属板や、それに砂等の粒子を付着させて表面装飾した化粧金属板などに対して良好な切断能力と切断効率を得ることが出来る
【００９２】
また、可動刃１６０の切断方向前方に向かって突出する前方側端部１６４が、嘴状に先細形状とされていると共に、その先端部が、略円弧状に丸められて非先鋭形状とされている。なお、本実施形態では、刃先１６２の傾斜する方向が、可動板１２６の軸直角方向線１６７を挟んで係合突部１２８の上下端面１２５，１２７の傾斜する方向と略対称とされている。
【００９３】
更にまた、可動板１２６の先端部分１５８には、可動刃１６０を形成する部分の上方に近接位置して、その前方端部１３４から切断方向前方に突出する形態をもって、突起部１６８が一体形成されている。この突起部１６８は、図２６に拡大側面が示されているように、略三角の側面形状を有しており、頂点が上方に偏倚した不等辺三角形状とされて上辺側の傾斜面１６６ａに対して下辺側の傾斜面１６６ｂの方が長くてなだらかな傾斜面とされている。
【００９４】
かかる突起部１６８の突出高さは特に限定されるものでないが、製作や加工上の理由などから、Ｔ＜１．０mmとされることが望ましく、より好適にはＴ＜０．５mmとされる。特に、突起部１６８の下辺側の傾斜面１６６ｂは、可動板１２６の先端部分１５８における前方端部１３４に沿って下方から上方に向かって送られてくる切断屑１４８（図２９〜３２参照。）が引っ掛かってしまわないように、滑らかな面で前方端部（面）１３４から立ち上がり、下方から順に送られてくる切断屑１４８を該傾斜面１６６ｂに沿って前方に送り続けることが出来るようにされている。
【００９５】
具体的には、突起部１６８の下辺側の傾斜面１６６ｂは、屈曲点を持たないで、可動板１２６の先端部分１５８における前方端部１３４に接続されることが望ましく、例えば前方端部１３４から接続方向に立ち上がって十分な大きさの曲率半径をもって傾斜面１６６ｂに至る緩衝的な接続曲線を採用すること等が考えられる。ここにおいて、本実施形態では、かかる傾斜面１６６ｂが、その全体に亘ってＲ＝１０mm以上（具体的には、Ｒ＝略２０mm）の大きさの曲率半径をもった湾曲面形状とされており、且つ前方端部１３４との接続部位に屈曲点や加工バリ等が発生しないように、前方端部１３４との接続部分では、傾斜面１６６ｂから連続して同一の曲率半径（Ｒ＝略２０mm）で僅か（例えば、深さｔ≦０．１mm）に前方端部１３４をえぐるように延びるえぐり面１７０が形成されている。
【００９６】
要するに、突起部１６８の傾斜面１６６ｂと同一の一定曲率半径で延びる円弧状のえぐり面１７０によって、可動板１２６の先端部分１５８の前方端面１３４の一部が構成されており、かかる傾斜面１６６ｂの前方端面１３４から前方への立ち上がり点：Ｐａは、直線的に延びる前方端面１３４の延長線と傾斜面１６６ｂとの交点と定義付けることが出来る。従って、傾斜面１６６ｂは、立ち上がり点：Ｐａにおいては、前方端面１３４の一部を構成するえぐり面１７０に対して折れ点を持たない共通接線をもって滑らかに接続されているのである。なお、前方端面１３４は、えぐり面１７０の支点：Ｐｂの位置で屈曲点を持つ可能性もあるが、この屈曲点は、前方端面１３４から後方に延びるえぐれ形状のものであることから、切断屑１４８の案内に際して、それが引っ掛かる等の不具合を生ずるものではない。
【００９７】
さらに、可動刃１６０は、その全体に亘って、両側面が傾斜面とされており、かかる可動刃１６０の厚さ寸法が、刃先１６２から他方の端縁部に向かって次第に小さくなるように、断面形状が設計されている。
【００９８】
そして、このような構造とされた可動刃１６０を備えた可動板１２６は、第一の実施形態と同様に、係合突部１２８が駆動金具１１４における取付片１２０の係合溝１２２に係合されると共に、前方端部１３４および後方端部３０が取付片の係合凹所１２３に係止され、更に、固定用ボルト１４０が各貫通孔１３０を貫通して取付片１２０の各ねじ孔１２４に螺着されることにより、駆動金具１１４に対して固定されている。なお、本実施形態において、可動板１２６が駆動金具１１４に対して着脱可能に固定されるか否かは、当業者が容易に設計変更できる事項であり、何等限定されるものでない。
【００９９】
特に上述の如き組み付け状態にあっては、一対の固定刃８６，８６における刃先９０，９０が、駆動金具１１４の往復駆動方向（図１９中、上下）に対して直交して切断方向前方（図１９中、右）に向かって直線的に延びていると共に、可動刃１６０の刃先１６２が、駆動金具１１４の往復駆動方向に対して直交する方向、換言すれば固定刃８６の刃先９０が延びる方向に対して、切断方向の前方に向かって次第に固定刃８６の刃先９０から離隔する方向（図１９中、下）に向かって所定の傾斜角度：γで傾斜して直線的に延びている。換言すると、本実施形態では、可動刃１６０の刃先１６２に傾斜角度：γが設定されることによって、可動刃１６０の刃先１６２と固定刃８６の刃先９０の対向面間が切断方向の後方から前方に向かって拡開する形状とされている。また、係合溝１２２と係合突部１２８の幅方向に傾斜する方向が、可動板１２６の幅方向線（軸直角方向線１６７）を挟んで可動刃１６０の刃先１６２の傾斜する方向と略対称となるようにされている。また、可動刃１６０の刃先１６２の前方側端部１６４が、支持プレート７４の前方端部７６から切断方向前方に突出した一対の固定刃８６，８６における各刃先９０の前方側端部と切断方向で略同じ位置に位置決めされている。
【０１００】
さらに、本実施形態では、駆動金具１１４が軸方向下方に駆動変位せしめられることに伴い、可動刃１６０が、図２３にも二点鎖線で示されているように、一対の固定刃８６，８６の対向面間と軸方向に離隔して対向位置せしめられている。さらに、駆動金具１１４が軸方向上方に駆動変位せしめられることに伴い、可動刃１６０が、図２３にも三点鎖線で示されているように、一対の固定刃８６，８６の対向面間に最も奥方まで入り込んだ場合にも、可動刃１６０の刃先１６２における前方側端部１６４の所定の長さに亘る部分が、一対の固定刃８６，８６の対向面間に入り込まずに一対の固定刃８６，８６の各刃先９０に対して所定の離隔距離：Ｌ1 をもって軸方向下方に離隔位置せしめられている。要するに、本実施形態では、可動刃１６０の刃先１６２と一対の固定刃８６，８６の各刃先９０の軸方向における対向面間距離が、切断方向の後方（図１９中、左）から前方（図１９中、右）に向かって次第に大きくなるようにされている。
【０１０１】
また、本実施形態の下筒金具６６には、支持部材１７２が組み付けられている。支持部材１７２は、図２７〜２８にも拡大して示されているように、固定板金具１７４、支持ロッド１７６および一対の保持部材としての受け板プレート１７８，１７８を含んで構成されている。固定板金具１７４は、軸方向に略一定の略矩形断面乃至は湾曲状断面で延びる平板形状を呈していると共に、その四隅には、挿通孔１８０がそれぞれ貫設されている。また、固定板金具１７４の中央部分には、支持ロッド１７６が固定されている。この支持ロッド１７６は、軸方向中間部分に設けられた傾斜部１８２を挟んで軸方向下端部分が軸方向上端部分よりも前方（図２７中、右）に位置せしめられた屈曲ロッド状を呈しており、その上端部が固定板金具１７４の中央部分に固着されている。また、支持ロッド１７６の軸方向下端部分には、前方に向かって略Ｌ字状に延び出すようにして平板形状の固定板部１８４が一体形成されている。
【０１０２】
また、一対の受け板プレート１７８，１７８は、先端部分の幅寸法が小さくされた略矩形の平板形状を呈している。更に、受け板プレート１１２，１１２の上端部分における側壁部の外面が、軸方向下方から上方に向かって先細となるように角落し状の傾斜面とされている。また、上端縁部の幅方向（図２７中、左右）の両角部は、略円弧状に湾曲されている。そして、これら一対の受け板プレート１７８，１７８は、各傾斜面がそれぞれ軸直角方向外方に向かうようにして、支持ロッド１７６の固定板部１８４を挟んで相互に重ね合わされると共に、一対の固定ボルト１８６，１８６が板厚方向に貫通して螺着されることにより、支持ロッド１７６に固定されている。即ち、一対の受け板プレート１７８，１７８が、支持ロッド１７６の固定板部１８４から軸方向上方に立ち上がるようにして取り付けられていると共に、一対の受け板プレート１７８，１７８の対向面間には、固定板部１８４の厚さ寸法に相当する幅寸法の隙間１８８が設けられている。
【０１０３】
さらに、このような支持部材１７２は、支持ロッド１７６が下筒金具６６の挿通窓８４に挿入された形態で、固定板金具１７４が挿通窓８４の開口周縁部に重ね合わされると共に、固定ボルト１９０が固定板金具１７４の各挿通孔１８０を貫通して下筒金具６６に螺着されることにより、下筒金具６６に対して固定されている。また、かかる組み付け状態では、支持ロッド１７６の傾斜部１８２が、支持プレート７４の後方端部７８と略平行に延びるようにして、一対の支持プレート７４，７４の対向面間に収容配置せしめられている。而して、可動刃１６０が一対の固定刃８６，８６の対向面間から軸方向下方に離隔位置せしめられた状態で、可動板１２６の後方端部１３２が、支持ロッド１７６の傾斜部１８２等に当接して支持されている。これにより、可動板１２６が、支持ロッド１７６に対して軸方向に移動可能に支持されている。また、可動刃１６０が一対の固定刃８６，８６の対向面間から軸方向下方に離隔位置せしめられた状態では、可動刃１６０が一対の受け板プレート１７８，１７８の間の隙間１８８に入り込むようになっている。なお、本実施形態では、支持部材１７２の基端部分が、支持ロッド１７６における傾斜部１８２や軸方向中間部分等を含んで構成されている。
【０１０４】
また、一対の受け板プレート１７８，１７８の上端部分が、一対の固定刃８６，８６の刃先９０，９０と軸方向（図２０中、鉛直方向）で所定の離隔距離：Ｌ2 をもって対向位置せしめられている。なお、かかる離隔距離：Ｌ2 の値は、特に限定されるものでないが、望ましくは、切断対象である鋼板瓦１４４の厚さ寸法の１．０〜３．０倍、より望ましくは、１．５〜２．５倍に設定される。また、受け板プレート１７８，１７８の上端面は、可動刃１６０のストローク方向（軸方向）で刃先１６２の下死点よりも上方で且つ上死点よりも下方に位置するように離隔距離：Ｌ2 を設定することが望ましい。
【０１０５】
このような構造とされた切断機１５０においては、駆動スイッチ１５６をオンして電気ドリル１５２の電動モータに通電することによって出力軸１５４が回転されると、回転力が出力軸１５４に固着された回転軸４６に伝えられる。以て、前記第一の実施形態と同様に、クランク機構１４２が駆動されることとなり、駆動金具１１４および該金具１１４に固着された可動板１２６が支持筒金具６２の挿通孔１１２に沿って切断機本体１２に対して軸方向に往復駆動されて、固定刃８６の軸方向下方に位置せしめられた可動板１２６の可動刃１６０が一対の固定刃８６，８６の対向面間に対して出入作動される。
【０１０６】
従って、上述の如き構造とされた切断機１５０においては、図２９〜３２にも拡大して示されているように、第一の実施形態と同様に、一対の固定刃８６，８６の対向面間と可動刃１６０の軸方向対向間に鋼板瓦１４４を挟み入れて、可動刃１６０を鋼板瓦１４４の反対側から切断機本体１２側に繰り返し引き上げるように駆動せしめることにより、可動刃１６０の刃先１６２の両縁部と一対の固定刃８６，８６の刃先９０，９０が協働して鋼板瓦１４４に剪断作用を及ぼすことが可能となる。それ故、例えば、鋼板瓦１４４の湾曲乃至は屈曲する部分に可動刃１６０や固定刃８６が差し掛かった際に、可動板１２６乃至は支持筒金具６２の軸方向線を切断方向（図３０中、左右）の後方に所定の傾斜角度：δで傾斜させたり、或いは可動板１２６乃至は支持筒金具６２の軸方向線を切断方向に直交する方向（図３２中、左右）の一方に所定の傾斜角度：εで傾斜させたりすることが可能となり、所望の切断行路に沿った切断加工が有利に実現され得る。
【０１０７】
そこにおいて、特に本実施形態では、可動刃１６０の刃先１６２が固定刃８６の刃先９０の延びる方向に対して所定の傾斜角度：γで固定刃８６から離隔する方向に傾斜されていることにより、可動刃１６０の刃先１６２と一対の固定刃８６，８６の各刃先９０との対向面間距離が切断方向の後方（図１９中、左）から前方（図１９中、右）に向かって次第に大きくなるようにされている。これにより、可動刃１６０の刃先１６２が一対の固定刃８６，８６の対向面間に入り込んで、鋼板瓦１４４に剪断切断作用を及ぼす際に、可動刃１６０の刃先１６２が一対の固定刃８６，８６における各刃先９０の後方端部から次第に前方端部に向けて入り込むこととなる。即ち、可動刃１６０と一対の固定刃８６，８６が、鋼板瓦１４４に対して両刃先９０，１６２の後方端部から次第に前方端部に向けて切り進むこととなる。
【０１０８】
それ故、切断表面に湾曲部や屈曲部等を備えた鋼板瓦１４４を切り進む際に、可動刃１６０の前方側端部１６４等が、切断行路上の前方に位置せしめられた湾曲部や屈曲部等に緩衝して引っ掛かったりすることが回避されることにより、可動刃１６０と固定刃８６における切断方向の移動がスムーズに実現されて、切断加工が一層有利に実現され得る。
【０１０９】
しかも、可動刃１６０と一対の固定刃８６，８６が、鋼板瓦１４４に対して両刃先９０，１６２の後方端部から次第に前方端部に向けて切り進むことにより、一般に、先細り状や尖鋭状に形成されること等に基因して強度的に問題となり易い刃先の前方側端部における応力集中が軽減乃至は回避されることから、刃の長寿命化が有利に図られ得るのである。
【０１１０】
さらに、本実施形態では、可動刃１６０および一対の固定刃８６，８６による切断作用が発揮されるに際して、可動刃１６０が一対の固定刃８６，８６の間に最も奥方まで入り込んだ場合にも、該可動刃１６０の刃先１６２における前方側端部１６４の所定長さに亘る部分が、一対の固定刃８６，８６の間に入り込まずに該一対の固定刃８６，８６の各刃先９０に対して外方に離隔位置せしめられることにより、当該切断作用が発揮される際に、可動刃１６０の刃先の全体が一対の固定刃８６，８６の対向面間に入り込んで隠れてしまうことがない。
【０１１１】
従って、鋼板瓦１４４の切断加工に際して可動刃１６０が一対の固定刃８６，８６に対して出入り方向に往復変位せしめられても、可動刃１６０の刃先１６２と固定刃８６の刃先９０との間に差し入れられた鋼板瓦１４４が、それら可動刃１６０と固定刃８６の両刃先９０，１６２の間に止まり、両刃先９０，１６２間から外れてしまうことがない。そして、可動刃１６０が突出せしめられた状態から引込方向に作動せしめられると、可動刃１６０の突出状態で最奥方まで差し入れられた鋼板瓦１４４に対して、可動刃１６０と固定刃８６の両刃先９０，１６２による切断作用が及ぼされて、一対の固定刃８６，８６の間に入り込む可動刃１６０の刃先１６２の長さに相当する分だけ切り進むこととなり、その後、可動刃１６０が引込状態から突出方向に作動せしめられると、可動刃１６０の刃先１６２の先端部分と固定刃８６との間で挟まれて保持された鋼板瓦１４４が、可動刃１６０と固定刃８６の切断方向前方への移動操作に従って、それら可動刃１６０と固定刃８６の両刃先９０，１６２間の奥方に向かってスムーズに差し入れられることとなる。
【０１１２】
それ故、可動刃１６０を固定刃８６に対して連続して出入方向に往復作動させることにより、鋼板瓦１４４を、可動刃１６０と固定刃８６の両刃先９０，１６２間に保持せしめたままの状態で連続的に切り進むことが出来、切断効率や切断作動の安定性等がより一層向上され得るのである。
【０１１３】
さらに、本実施形態では、切断加工に際して発生する切断屑１４８が、可動板１２６の先端部分１５８に設けられたえぐり面１７０や傾斜面１６６ｂを摺接して切断機１５０の外方に導かれることから、切断屑１４８が切断機１５０の内部に詰まったり、切断行路上に位置して切断加工を妨害する等ということがより有効に阻止される。
【０１１４】
更にまた、本実施形態では、可動板１２６の先端部分１５８に設けられた突起部１６８における下辺側の傾斜面１６６ｂの長さ寸法：ｌは、特に限定されるものでないが、例えばｌが数十mm或いは数mm以下と小さく設定されていても、切断加工の対象が例示の如き鋼板瓦１４４等の硬質の金属薄板であることから、突起部１６８に設けられた傾斜面１６６ｂや突起部１６８の下方に設けられたえぐり面１７０による切断屑１４８の前方への案内作用が十分に発揮され得るのである。
【０１１５】
さらに、本実施形態では、上筒金具６４と下筒金具６６の間にシム１６１が介装されており、該シム１６１の厚さ寸法が適宜に設定変更されること等によって、支持筒金具６２の軸方向長さが調節される。従って、支持筒金具６２に固定された固定刃８６の刃先９０と駆動金具１１４に固定された可動板１２６における可動刃１６０の刃先１６２の軸方向の対向面間距離が適宜に設定変更されることから、鋼板瓦１４４の厚さ寸法や形状、材質等に応じた切断加工がより一層有利に実現され得る。
【０１１６】
また、本実施形態では、可動刃１６０と一対の固定刃８６，８６による切断加工に際して、一対の固定刃８６，８６と一対の受け板プレート１７８，１７８の軸方向対向間に鋼板瓦１４４が挟み入れられた形態で切断加工が施されることにより、可動刃１６０の往復駆動に伴い鋼板瓦１４４に揺動変位が及ぼされる場合に、鋼板瓦１４４の裏面が一対の固定刃８６，８６の反対側から受け板プレート１７８の上端部分に支持されることによって、鋼板瓦１４４の過度の下方への変位が防止される。従って、鋼板瓦１４４に可動刃１６０と一対の固定刃８６，８６による剪断作用がより一層確実に発揮されることとなって、切断加工の更なる向上が図られ得るのである。
【０１１７】
更にまた、本実施形態では、係合溝１２２と係合突部１２８の幅方向に傾斜する方向が、可動板１２６の幅方向線を挟んで可動刃１６０の刃先１６２の傾斜する方向と略対称となるようにされていると共に、係合溝１２２と係合突部１２８の係合部位の下方において、可動板１２６と駆動金具１１４の取付片１２０が、固定用ボルト１４０を用いて重ね合わせ方向に貫通して固定されていることにより、切断加工の際に、係合溝１２２と係合突部１２８が協働して生ぜしめられる係止作用が一層有利に発揮されて、可動刃１６０の作動安定性がより一層有利に発揮され得る。蓋し、固定用ボルト１４０の中心軸を支点とする可動刃１６０まわりに生ぜしめられるモーメントが、係合溝１２２の傾斜した側面に係合突部１２８の側面を押し付ける力として効率的に利用されるものと推考されるからである。
【０１１８】
以上、本発明の実施形態について詳述してきたが、これらはあくまでも例示であり、これらの実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【０１１９】
例えば、前記実施形態では、駆動金具が略矩形柱形状乃至は円柱形状とされていたが、その他、平板形状等とされることも可能である。また、駆動金具が平板形状とされる場合には、駆動金具の先端部分の厚さ寸法が、本態様における駆動ロッドの先端部分の幅寸法に相当して、左右一対の固定刃の対向面間距離よりも小さくされる。
【０１２０】
また、駆動金具には、軸方向の略全長に亘って円形断面乃至は多角形断面で延びるロッド状とし、該駆動金具の突出先端部分を平板形状や湾曲板形状、屈曲板形状等とした構造を採用することも可能である。
【０１２１】
さらに、前記実施形態では、切断方向（図１３中、左右）で可動刃と固定刃が略同じ位置に位置せしめられていたが、全体として一方にだけ湾曲乃至は屈曲した被加工板を切断する場合には、湾曲（屈曲）の内面側となる固定刃および可動刃の何れか一方の切断方向前方側の端部を、他方の切断方向前方側の端部よりも後方に引っ込めて位置設定せしめることも可能である。それによって、固定刃や可動刃等の引っ掛かりを防止して切断加工を巧くすることが出来る。
【０１２２】
更にまた、前記第一の実施形態では、可動刃の刃先の断面が、刃の厚さ方向（図９中、左右）の一方から他方に傾斜する形状とされていたが、その他、平坦状や山形状等が採用されても良い。
【０１２３】
また、前記第一の実施形態では、切断機が鋼板瓦の罫書き線に沿って切断加工を施していたが、切断機本体に備えた把持部の操作方向に応じて、例えば曲線状に切断加工を施すことも可能である。
【０１２４】
さらに、前記第一の実施形態では、電動モータへの給電が外部電源から給電用コードを通じて行われるようになっていたが、バッテリ等を採用し、更にそれを切断機に備えつけることも可能である。
【０１２５】
更にまた、駆動ロッドを軸方向に往復駆動せしめる駆動機構として、例示の如きクランク機構以外の他のリンク機構やカム機構、ギア機構等が何れも採用可能である。また、駆動機構の駆動力は、例示の如き外部電源と給電用コードを採用する他、バッテリや内燃機関を利用しても良い。更に、駆動機構に公知のフレキシブルワイヤ等を接続し、該フレキシブルワイヤを通じて駆動力を及ぼすようにしても良い。
【０１２６】
また、前記実施形態では、電動モータやクランク機構を切断機本体に内蔵した構造が示されていたが、これに限定されるものでなく、例えば、電動モータやバッテリを含む電動式駆動ユニットやガソリンエンジンや燃料タンクを備えてなる内燃機関式駆動ユニットを切断機本体と別途準備し、公知のフレキシブルワイヤを用いてそれら駆動ユニットの動力を駆動ロッドに伝達させる構造を採用しても良い。これにより、切断機本体を軽量化せしめて、切断機本体の操作性の向上が図られ得る。また、前述の駆動ユニットを作業者が背負う等して携帯することが出来るように設計することも可能であり、以て、作業性の向上や切断機本体の移動範囲の拡張等が有利に実現され得る。
【０１２７】
また、可動刃における基端部分や先端部分、刃先の形状や大きさ、構造等は、例示の如きものに限定されるものでなく、要求される可動刃の製作性や切断能力等に応じて適宜に設定変更される。
【０１２８】
さらに、前記記第二の実施形態に係る可動刃の刃先の傾斜角度：γは、固定刃の刃先の延びる方向に応じて適宜に設定変更されるものであり、特に限定されるものでない。
【０１２９】
更にまた、可動刃の刃先において、固定刃に対して対向位置せしめられる部分が、前記実施形態では直線形状とされていたが、かかる部分を、傾斜角度が変化する形状をもって形成しても良く、例えば湾曲形状の刃先を採用したり、刃先の中間部分に屈曲点を設けたりしても良い。
【０１３０】
また、前記第二の実施形態では、可動板の先端部分に対して傾斜面およびえぐり面が連続して設けられていたが、可動板の適当な箇所に不連続に設けられても良く、或いは、傾斜面またはえぐり面の何れか一方だけを設けることも可能である。
【０１３１】
さらに、前記第二の実施形態においては、受け板プレートの上端部分にローラ等の案内部材を設けることによって、該上端部分で固定刃の反対側から被加工板を支持せしめる際に、被加工板または切断機本体を切断方向に好適に案内するようにしても良い。
【０１３２】
加えて、本実施形態に係る切断機は、例示の如き鋼板瓦に切断加工を施すことのみに限定されるものでなく、その他の各種金属板の切断加工や、或いは、例えばＦＲＰのような硬質樹脂等の切断加工に適用することも勿論可能である。
【図面の簡単な説明】
【０１３３】
【図１】本発明の第一の実施形態としての切断機を示す側面説明図である。
【図２】図１における切断機の一要部を拡大して示す縦断面説明図である。
【図３】図１における切断機の別の要部を拡大して示す縦断面説明図である。
【図４】図３におけるIV−IV断面図である。
【図５】図３におけるＶ−Ｖ断面図である。
【図６】図１における切断機の一部を構成する一対の固定刃に介装プレートを組み付けた状態を示す説明図であり、図７のVI−VI断面に相当する図である。
【図７】図６におけるVII −VII 断面図である。
【図８】図６におけるVIII−VIII矢視図である。
【図９】図１における切断機の一部を構成する可動刃を備えた可動板を拡大して示す正面説明図である。
【図１０】図９における可動刃を備えた可動板を示す側面説明図である。
【図１１】図９における可動刃を備えた可動板を示す背面説明図である。
【図１２】図１における切断機を用いて鋼板瓦に切断加工を施す一具体例をモデル的に示す説明図である。
【図１３】図１２における切断機を用いた切断加工の一形態を拡大して示す縦断面説明図である。
【図１４】図１２における切断機を用いた切断加工の別の形態を拡大して示す縦断面説明図である。
【図１５】図１２における切断機を用いた切断加工の更に別の形態を拡大して示す縦断面説明図である。
【図１６】図１２における切断機を用いた切断加工の更にまた別の形態を拡大して示す縦断面説明図である。
【図１７】本発明の第二の実施形態としての切断機を示す側面説明図である。
【図１８】図１７における切断機の一要部を拡大して示す縦断面説明図である。
【図１９】図１７における切断機の別の要部を拡大して示す説明図であり、図２０におけるXIX −XIX 断面に相当する図である。
【図２０】図１９におけるXX−XX断面図である。
【図２１】図１９におけるXXI −XXI 断面図である。
【図２２】（ａ），（ｂ）は、何れも図１７における切断機の一部を構成する固定刃を拡大して示す側面説明図であり、（ａ）は固定刃の一形態を示す図６に対応する図であると共に、（ｂ）は固定刃の別の一形態を示す説明図である。
【図２３】図１７における切断機の一部を構成する可動刃を備えた可動板を示す側面説明図である。
【図２４】図２３における可動刃を備えた可動板を示す正面説明図である。
【図２５】（ａ），（ｂ）は、何れも図２３におけるXXV −XXV 断面を拡大して示す説明図である。
【図２６】図２３における可動刃を備えた可動板の一要部を拡大して示す側面説明図である。
【図２７】図１７における切断機の一部を構成する支持部材を拡大して示す側面説明図である。
【図２８】図２７におけるXXVIII−XXVIII断面図である。
【図２９】図１７における切断機を用いた切断加工の一形態を拡大して示す縦断面説明図である。
【図３０】図１７における切断機を用いた切断加工の別の形態を拡大して示す縦断面説明図である。
【図３１】図１７における切断機を用いた切断加工の更に別の形態を拡大して示す縦断面説明図である。
【図３２】図１７における切断機を用いた切断加工の更にまた別の形態を拡大して示す縦断面説明図である。
【符号の説明】
【０１３４】
１０  切断機
１２  切断機本体
１４ａ  把持部
１４ｂ  把持部
２２  電動モータ
６２  支持筒金具
７４  支持プレート
８６  固定刃
１１４  駆動金具
１２６  可動板
１３６  可動刃
１３８  刃先
１４２  クランク機構
１４４  鋼板瓦
１４８  切断屑
【図１】
0003593681.tif 000002
【図２】
0003593681.tif 000003
【図３】
0003593681.tif 000004
【図４】
0003593681.tif 000005
【図５】
0003593681.tif 000006
【図６】
0003593681.tif 000007
【図７】
0003593681.tif 000008
【図８】
0003593681.tif 000009
【図９】
0003593681.tif 000010
【図１０】
0003593681.tif 000011
【図１１】
0003593681.tif 000012
【図１２】
0003593681.tif 000013
【図１３】
0003593681.tif 000014
【図１４】
0003593681.tif 000015
【図１５】
0003593681.tif 000016
【図１６】
0003593681.tif 000017
【図１７】
0003593681.tif 000018
【図１８】
0003593681.tif 000019
【図１９】
0003593681.tif 000020
【図２０】
0003593681.tif 000021
【図２１】
0003593681.tif 000022
【図２２】
0003593681.tif 000023
【図２３】
0003593681.tif 000024
【図２４】
0003593681.tif 000025
【図２５】
0003593681.tif 000026
【図２６】
0003593681.tif 000027
【図２７】
0003593681.tif 000028
【図２８】
0003593681.tif 000029
【図２９】
0003593681.tif 000030
【図３０】
0003593681.tif 000031
【図３１】
0003593681.tif 000032
【図３２】
0003593681.tif 000033